(57)【要約】【課題】  小型の走行車両の安定した自律走行を実現する。【解決手段】  本発明の走行制御装置５は、苗列Ｎに沿って走行する走行動作と、次の苗列Ｎの先端へ旋回する旋回動作とを行うように構成され、旋回方向センサー１１が検出した走行車両１の現状角度ωｆに基づいて走行車両の姿勢を制御する姿勢制御信号を出力する姿勢制御部１２と、撮像部１３が撮像した走行車両１の前方の苗列Ｎの画像から該苗列Ｎの存在を検出し、該苗列Ｎに沿って走行するための目標旋回方向を検出する画像処理部１４と、姿勢制御部１２及び画像処理部１４での処理結果に応じて走行車両１を制御する走行制御部１９とを備える。走行制御部１９は、前記走行動作中に、画像処理部１４で苗列Ｎの存在及び目標旋回方向が検出されたときはそれらに基づいて、それらが検出されなかったときは姿勢制御部１２からの姿勢制御信号に基づいて、走行車両１の走行を制御するように構成されている。【選択図】      図１
2020036569.tif 000002
【特許請求の範囲】
【請求項１】
栽培エリア内に条植えされた作物の苗列に沿って走行する走行動作と、該走行動作後に次の走行動作の対象とする苗列の先端に向けて旋回する旋回動作とを行うように構成された走行車両の走行制御装置であって、
前記走行車両の旋回方向の現状角度を検出する旋回方向センサーと、
該旋回方向センサーによる該現状角度に基づいて走行車両の姿勢を制御する姿勢制御信号を出力する姿勢制御部と、
前記走行車両の進行方向前方の苗列を撮像する撮像部と、
該撮像部により撮像した画像に基づいて前記苗列の存在を検出するとともに、該苗列に沿って走行するための目標旋回方向を検出し、それらの検出結果を出力する画像処理部と、
前記姿勢制御部からの前記姿勢制御信号及び前記画像処理部からの前記検出結果に基づいて前記走行車両の走行を制御する走行制御部とを備え、
前記走行制御部は、前記走行動作中に、前記画像処理部により前記苗列の存在及び目標旋回方向が検出されたときは、該目標旋回方向に基づいて前記走行車両の走行を制御し、前記苗列の存在及び目標旋回方向が検出されなかったときは、前記姿勢制御部からの姿勢制御信号に基づいて前記走行車両の走行を制御するように構成されている
走行車両の走行制御装置。
【請求項２】
前記姿勢制御部は、一定距離間隔で前記現状角度を保存するとともに、該保存された過去の前記現状角度と最新の現状角度との平均値を前記走行車両の進行方向又は前記苗列の方向として採用する
請求項１に記載の走行車両の走行制御装置。
【請求項３】
前記走行制御部は、前記姿勢制御部で検出された前記現状角度の前記平均値を前記旋回動作の開始時の基準角度として用いる
請求項２に記載の走行車両の走行制御装置。
【請求項４】
前記画像処理部は、前記苗列の存在位置と前記走行車両の中央との左右方向における位置ズレ量が所定量以上の場合に左右方向への目標旋回方向を出力するように構成されている
請求項１〜３のいずれか一項に記載の走行車両の走行制御装置。
【請求項５】
前記走行車両の走行距離を測定する走行距離検出部を備え、
前記走行制御部は、該走行距離に基づいて検出される前記苗列の先端及び終端付近において、前記走行速度を低減させるように構成されている
請求項１〜４のいずれか一項に記載の走行車両の走行制御装置。
【請求項６】
前記走行車両前方にある物体を検出する対物センサーを有し、該対物センサーにより栽培エリアの終端を検出する終端検出部を備え、
前記走行制御部は、該終端検出部により該終端を検出すると、前記走行車両に前記旋回動作をさせるように構成されている
請求項５に記載の走行車両の走行制御装置。
【請求項７】
前記走行制御部は、前記苗列の先端から終端付近に至るまでの所定距離を走行したことが前記走行距離検出部によって検知されるまでは、前記終端検出部からの終端検出情報を無効化するように構成されている
請求項６に記載の走行車両の走行制御装置。
【発明の詳細な説明】
【技術分野】
【０００１】
本発明は、車両幅が条間より狭く構成されており条間を走行するように構成されていたり、少数の苗列を跨いで走行するように構成されていたりするような小型の走行車両の走行制御装置に関するものである。
【背景技術】
【０００２】
本発明の第一の背景技術としては、特許文献１に記載された田植機を例示する。この田植機は、走行機体の前方の既植苗列を撮影する第１カメラ、後方の既植苗列と移植直後の苗列とを同時に撮影する第２カメラ夫々を備え、第１カメラで撮影された既植苗列を表示する第１ディスプレイの表示面の目標位置と表示される既植苗列とで走行機体と既植苗列との位置関係を判定可能に構成し、第２カメラで撮影された既植苗列と移植直後の苗列とを表示するディスプレイの表示によって既植苗列と、移植直後の苗列との位置関係を判定可能に構成する。
【０００３】
また、本発明の第二の背景技術としては、特許文献２に記載された走行制御装置を例示する。この走行制御装置では、画像処理部は、車両走行中に撮像部により異なる位置で撮像した複数の撮像画像を処理し、車両走行の目標となる目標追従ラインを導出する。走行制御部は、目標追従ラインに沿って走行するように車両の走行を制御する。画像処理部の基準領域設定部は、撮像画像において複数の画素値から構成されて直線状に並ぶ複数の基準領域を設定する。基準領域追跡部は、基準領域が設定された撮像画像とは異なる位置で新たに撮像された撮像画像において基準領域と実空間上で同じ領域であると判定された参照領域の撮像画像上の位置情報を算出する。凹凸検出部は、参照領域の複数の位置情報にもとづいて実空間上の地面の凹凸を検出する。目標追従ライン生成部は、検出された凹凸にもとづいて目標追従ラインを生成する。
【先行技術文献】
【特許文献】
【０００４】
【特許文献１】特開平９-１５４３１３号公報
【特許文献２】特開２０１３−２０１９５８号公報
【発明の概要】
【発明が解決しようとする課題】
【０００５】
特許文献１の田植機や特許文献２の走行制御装置が搭載される車両は、いずれも大型な乗用型車両であるため、カメラを圃場面から上方に高く離れた高所に設置できるので、一定の俯角で苗列を構成する多数の苗を上から見下ろして撮影することができる。しかしながら、車両幅が条間より狭く構成されており条間を走行するように構成されていたり、少数の苗列を跨いで走行するように構成されていたりするような小型の走行車両では、前記乗用型車両のようにカメラを高所に設置すると重心が高くなり走行時や強風時等の機体の安定性を損なうため、カメラをそのような高所に設置することができない。そして、圃場面から低所に設置されたカメラによれば一定の俯角のもとでは少数の苗しか撮影できない。そのため、苗列の途中に欠株が存在していると、苗列を見失ってしまうことがあるという課題がある。仮にそのような低所にあるカメラの俯角を小さく設定すると多数の苗が撮影可能になるが、その反面、各苗の上端の抽出が困難になり、特に、苗列が曲がっている場合に苗列が抽出できなくなってしまうという課題が生じる。
【０００６】
また、特許文献１の田植機では、走行機体の前方を撮影する第１カメラと、後方を撮影する第２カメラとの２台のカメラを装備しているとともに、２台のカメラの画像を処理するために高性能な制御装置を用いる必要があり、コストがかかるという課題がある。
【０００７】
さらに、特許文献２の走行制御装置では、目標追従ラインの導出のために、車両走行中に撮像部により異なる位置で撮像した複数の撮像画像を処理しなければならないだけでなく、撮像画像において複数の画素値から構成されて直線状に並ぶ複数の基準領域を設定する処理、新たに撮像された撮像画像において基準領域と実空間上で同じ領域であると判定された参照領域の撮像画像上の位置情報を算出することによって基準領域を追跡する処理、参照領域の複数の位置情報に基づいて実空間上の地面の凹凸を検出する処理、検出された凹凸に基づいて目標追従ラインを生成する処理等の多くの画像処理を含んでいるので、処理負荷が高く、高性能な制御装置を用いる必要があり、コストがかかるという課題がある。
【課題を解決するための手段】
【０００８】
前記課題を解決するために、第１の発明の走行車両の走行制御装置は、
栽培エリア内に条植えされた作物の苗列に沿って走行する走行動作と、該走行動作後に次の走行動作の対象とする苗列の先端に向けて旋回する旋回動作とを行うように構成された走行車両の走行制御装置であって、
前記走行車両の旋回方向の現状角度を検出する旋回方向センサーと、
該旋回方向センサーによる該現状角度に基づいて走行車両の姿勢を制御する姿勢制御信号を出力する姿勢制御部と、
前記走行車両の進行方向前方の苗列を撮像する撮像部と、
該撮像部により撮像した画像に基づいて前記苗列の存在を検出するとともに、該苗列に沿って走行するための目標旋回方向を検出し、それらの検出結果を出力する画像処理部と、
前記姿勢制御部からの前記姿勢制御信号及び前記画像処理部からの前記検出結果に基づいて前記走行車両の走行を制御する走行制御部とを備え、
前記走行制御部は、前記走行動作中に、前記画像処理部により前記苗列の存在及び目標旋回方向が検出されたときは、該目標旋回方向に基づいて前記走行車両の走行を制御し、前記苗列の存在及び目標旋回方向が検出されなかったときは、前記姿勢制御部からの前記姿勢制御信号に基づいて前記走行車両の走行を制御するように構成されている。
【０００９】
この構成によれば、前記苗列に欠株が存在していることにより前記画像処理部による画像処理の結果、前記苗列の存在及び目標旋回方向が検出されなかったときでも、前記姿勢制御部による前記姿勢制御信号に基づいて前記走行車両の走行を制御するように構成されている。そのため、前記欠株があっても走行が停止せず、前記走行車両の安定した自律走行が実現できる。
【００１０】
第２の発明の走行車両の走行制御装置としては、
前記第１の発明において、
前記姿勢制御部は、一定距離間隔で前記現状角度を保存するとともに、該保存された過去の前記現状角度と最新の現状角度との平均値を前記走行車両の進行方向又は前記苗列の方向として採用する態様を例示する。
【００１１】
前記平均値としては、例えば、過去における直近の所定数の現状角度と、最新の現状角度との平均値（単純な平均値でもよいし、新しさに応じて重み付けを変更（例えば新しいほど重み付けを重く）した平均値でもよい。）を用いることを例示する。
【００１２】
この構成によれば、前記走行車両の進行方向又は前記苗列の方向として、保存された過去の前記現状角度と最新の現状角度との平均値を採用することにより、前記現状角度の一時的なぶれの影響を低減することができ、前記走行車両の安定した自律走行が実現できる。
【００１３】
第３の発明の走行車両の走行制御装置としては、
前記第２の発明において、
前記走行制御部は、前記姿勢制御部で検出された前記現状角度の前記平均値を前記旋回動作の開始時の基準角度として用いる態様を例示する。
【００１４】
この構成によれば、前記苗列の終端部における湾曲に合わせて前記旋回動作を前記走行車両に行わせることができる。
【００１５】
第４の発明の走行車両の走行制御装置としては、
前記第１〜３のいずれかの発明において、
前記画像処理部は、前記苗列の存在位置と前記走行車両の中央との左右方向における位置ズレ量が所定量以上の場合に左右方向への目標旋回方向を出力するように構成されている態様を例示する。
【００１６】
この構成によれば、シンプルな画像処理で前記走行車両の走行制御を実現できる。
【００１７】
第５の発明の走行車両の走行制御装置としては、
前記第１〜４のいずれかの発明において、
前記走行車両の走行距離を測定する走行距離検出部を備え、
前記走行制御部は、該走行距離に基づいて検出される前記苗列の先端及び終端付近において、前記走行速度を低減させるように構成されている態様を例示する。
【００１８】
この構成によれば、前記走行速度を低減させることにより、前記苗列の先端又は終端付近において、前記画像処理部に確実に苗列を認識させることができ、前記走行車両の安定した自律走行が実現できる。
【００１９】
第６の発明の走行車両の走行制御装置としては、
前記第５の発明において、
前記走行車両前方にある物体を検出する対物センサーを有し、該対物センサーにより栽培エリアの終端を検出する終端検出部を備え、
前記走行制御部は、該終端検出部により該終端を検出すると、前記走行車両に前記旋回動作をさせるように構成されている態様を例示する。
【００２０】
この構成によれば、前記終端の撮像画像に対する画像処理のみにより該終端を検出する場合よりも、確実に終端を検出することができる。そのように画像処理のみにより前記終端を検出しようとすると、畦畔の上の雑草等を苗と誤検出して終端検出を失敗することがあるからであり、また、それを防止するために、畦畔を管理したり、畔波シートなどにより畦畔を安定した形状に保ったりする必要があるからである。
【００２１】
第７の発明の走行車両の走行制御装置としては、
前記第６の発明において、
前記走行制御部は、前記苗列の先端から終端付近に至るまでの所定距離を走行したことが前記走行距離検出部によって検知されるまでは、前記終端検出部からの終端検出情報を無効化するように構成されている態様を例示する。
【００２２】
この構成によれば、前記苗列の終端付近以降のみ、前記終端検出部からの終端検出情報を利用することにより、それ以前における前記栽培エリアの終端の誤検出を排除することができる。
【発明の効果】
【００２３】
本発明に係る走行車両の走行制御装置によれば、小型の走行車両の安定した自律走行が実現できるという優れた効果を奏する。
【図面の簡単な説明】
【００２４】
【図１】本発明を具体化した一実施形態に係る走行制御装置を備えた走行車両を示す図であり、（ａ）は側面図、（ｂ）は正面図である。
【図２】同走行制御装置の構成を示すブロック図である。
【図３】同走行制御装置の姿勢制御部の機能を示すブロック図である。
【図４】同姿勢制御装置の動作を示す平面図である。
【図５】同走行制御装置の画像処理部の画像処理例を示す図であり、（ａ）は苗列が走行車両の中心より右にずれている場合、（ｂ）は苗列が同中心と一致している場合、（ｃ）は苗列が同中心より左にずれている場合である。
【図６】同画像処理部での検知結果に基づく走行制御装置による走行車両の制御例を示す図である。
【図７】苗列の途中部における同走行制御装置による走行制御例を示す平面図である。
【図８】苗列の先端及び終端付近における同走行制御装置による走行制御例を示す平面図である。
【図９】苗列の終端検出に関する同走行制御装置による走行制御例を示す平面図である。
【図１０】走行動作開始時に角度ズレしている場合の同走行制御装置による走行制御例を示す平面図である。
【図１１】苗列の終端付近が湾曲している場合の同走行制御装置による走行制御例を示す平面図である。
【発明を実施するための形態】
【００２５】
図１〜図１１は本発明を具体化した一実施形態の走行車両１及びその走行制御装置５を示している。
【００２６】
本例の走行車両１は、図１に示すように、水田や畑等の圃場に植設された稲や野菜等の作物の苗列Ｎを跨ぐ門型に形成された機体フレーム２と、該機体フレーム２の両側部に設けられた一対の走行手段としてのクローラ３と、該各クローラ３にそれぞれ駆動力を供給する一対の駆動部４と、該一対の駆動部４を制御する走行制御装置５と、駆動部４及び走行制御装置５に電力を供給する電池６とを備えており、栽培エリア内に条植えされた作物の苗列Ｎに沿って走行する走行動作と、該走行動作後に次の走行動作の対象とする苗列Ｎの先端に向けて旋回する旋回動作とを自律的に繰り返し行うように構成されている。図１において矢印Ｆは機体前側を指し示している。
【００２７】
本例の走行制御装置５は、図２に示すように、旋回方向センサー１１、姿勢制御部１２、撮像部１３、画像処理部１４、エンコーダー１５、走行距離検出部１６、対物センサー１７、終端検出部１８、及び走行制御部１９を備えている。
【００２８】
姿勢制御部１２は、走行車両１の旋回方向（上下軸まわりの回転角度であるヨー角）の現状角度ωｆを検出する旋回方向センサー１１が接続されている。そして、図３及び図４に示すように、姿勢制御部１２は、一定距離間隔で現状角度ωｆを保存するとともに、定期的に、直前の所定回数分の現状角度ωｆの平均値Ωを算出する。後述する走行制御部１９は、それを走行動作における走行車両１の進行方向であって、走行車両１の現在位置における苗列Ｎの方向を示す角度として用いる。また、図３及び図４に示すように、姿勢制御部１２は、走行制御部１９から与えられた目標角度ωｒｅｆと、現状角度ωｆとの角度差分ωｅが無くなるようにフィードバック制御を行い、その結果を姿勢制御信号として出力するように構成されている。目標角度ωｒｅｆとしては、後述する走行制御部１９により、走行動作時はΩが与えられ、旋回動作時は９０°が２回与えられる。
【００２９】
撮像部１３は、走行車両１の進行方向前方の苗列Ｎを撮像するカメラを備えている。撮像部は、走行車両１の高所に一定の俯角で設置されている。本例の撮像部の撮影範囲は、該走行車両１の前方５〜６ｍまでの範囲に設定されている。撮像部による撮影範囲はカメラの設置高さ、苗列Ｎを構成する苗の高さや間隔等に応じて適宜変更することができる。
【００３０】
画像処理部１４は、該撮像部１３が接続されており、該撮像部１３により撮像した画像に基づいて苗列Ｎに沿って走行するための目標旋回方向を検出する。本例の画像処理部１４は、苗列Ｎと走行車両１の中央との左右方向における位置ズレ量を検出し、それに基づいて目標旋回方向を決定するように構成されている。具体的には、植物は赤外光の反射率が高いことから、撮像画像から赤外光を抽出し（図５における各画像の上段参照）、苗列Ｎを撮像画像上で縦方向に延びる赤外光の線形状であるものとし、撮像画像の横方向における一定範囲ごとに縦方向の赤外光の積算値を求め（図５における各画像の下段参照）、その積算値が最大となる横方向の位置Ｐに苗列Ｎが存在していると判定し、機体フレーム２の中心位置Ｃ（図５における各画像の中段参照）とのズレに応じて目標旋回方向を出力するように構成されている。具体的には、図６に示すように、その苗列Ｎの存在位置Ｐと、機体フレーム２の中心位置Ｃとが右又は左方向に所定の閾値以上ずれているときは、該右又は左方向への旋回するように目標旋回方向を出力し、該閾値未満のずれのときは、直進するように目標旋回方向を出力するように構成されている。赤外光の積算値が所定の閾値未満であるときは、撮影範囲内の苗列Ｎに欠株が発生していると判定し、それが検知されたことを出力する。
【００３１】
走行距離検出部１６は、クローラ３の駆動軸の回転を検出するエンコーダー１５が接続されており、該エンコーダー１５で検出した回転に基づいて走行車両１の走行距離を測定するように構成されている。
【００３２】
終端検出部１８は、走行車両１前方にある物体を検出する対物センサー１７が接続されており、該対物センサー１７により栽培エリアの終端にある物理的な境界（畦畔、壁、柵、ビニールハウスの端等）又は該終端に設置された境界を示す境界物Ｅを検出する。対物センサー１７としては特に限定されないが、境界物Ｅを非接触で検出する超音波センサー、ＴＯＦ（Ｔｉｍｅ  ｏｆ  Ｆｌｉｇｈｔ）センサーを採用することを例示するが、接触式センサーを採用することもできる。また、本例では、対物センサー１７の取付角度と高さは、境界物Ｅに応じて調節可能に構成されている。
【００３３】
走行制御部１９は、姿勢制御部１２での制御結果及び画像処理部１４での画像処理結果に基づいて走行車両１の走行を制御し、走行車両１に走行動作、終端検出、及び旋回動作を行わせるように構成されている。
【００３４】
走行動作に関する走行制御部１９の動作について説明すると、図７に示すように、走行制御部１９は、画像処理部１４により欠株の発生が検知されていないときは、該画像処理部１４から出力される右又は左方向への旋回指示に応じて走行車両１の走行を制御し、同欠株の発生が検知されているときは、姿勢制御部１２により検出された走行車両１の進行方向Ωを目標角度ωｒｅｆとして姿勢制御部１２に与え、その結果、姿勢制御部１２から出力された姿勢制御信号に基づいて走行車両１の走行を制御するように構成されている。画像処理部１４から出力される右又は左方向への旋回指示に対する具体的な走行制御としては、特に限定されないが、本例では、図６に示すように、旋回方向側のクローラ３の駆動速度を減速することにより実現しているが、これに限定されず、例えば走行手段が操舵装置により進行方向を変更するように構成されているときは操舵装置を制御することにより実現することができる。
【００３５】
また、走行制御部１９は、図８に示すように、該走行距離に基づいて検出される苗列Ｎの先端及び終端付近において、走行車両１の走行速度を低減させるように構成されている。その理由は、苗列Ｎでは、その一部で、苗の植付不良や生育不良等により株が欠損する欠株が発生することがあるが、苗列Ｎの先端又は終端の付近で欠株が発生した場合、赤外光の積算値が小さくなり、通常の走行速度では欠株により断続した苗列Ｎの画像処理が行えないため直進走行を継続できず、列に対して斜めに走行したり、停止したり、隣の列に移行したりすることがあるためである。そこで、走行速度を通常よりも低減させることにより、苗列Ｎを確実に認識させて、画像処理の精度を上げるようにしているのである。苗列Ｎの強度が全体的に小さい場合は、苗列Ｎの先端及び終端付近における減速区間を長くし、走行速度を低く低減させるように調整し、同強度が全体的に大きい場合はその逆に調整することが好ましい。減速の程度としては、特に限定されないが、１０〜５０％の範囲で低減させることを例示し、具体的には４０％低減させることを例示する。苗列Ｎの先端及び終端付近において速度を低減させる区間の長さは、撮像部１３の撮影範囲や、苗列Ｎの全長等に応じて適宜変更することが好ましい。本例では、撮像部１３の撮影範囲を基準に、先端及び終端の区間の長さをそれぞれ５〜１０ｍの範囲で設定することを例示し、具体的には５ｍに設定することを例示する。苗列Ｎの全長が短い（例えば２０ｍ以下）場合は、全体の速度低減防止のため、先端及び終端の区間の長さを前記全長の約５％に設定することを例示する。
【００３６】
終端検出に関する走行制御部１９の動作について説明すると、図９に示すように、走行制御部１９は、苗列Ｎの先端から終端付近に至るまでの所定距離を走行したことが走行距離検出部１６によって検知されるまでは、終端検出部１８からの終端検出情報を無効化するように構成されている。そして、所定距離を走行したことが検知されると、終端検出部１８からの終端検出情報を有効化し、終端検出部１８からの終端検出情報をチェックし始める。そして、走行制御部１９は、終端検出情報を検知すると、走行車両１に旋回動作を開始させる。
【００３７】
旋回動作に関する走行制御部１９の動作について説明すると、走行制御部１９は、図１０及び図１１に示すように、姿勢制御部１２に対し、走行車両１の進行方向Ωを旋回開始時の基準角度として与えるとともに、目標角度ωｒｅｆを与え、その結果、該姿勢制御部１２からの信号に応じて走行車両１の走行を制御する。旋回動作は、目標角度ωｒｅｆが９０°の旋回を２回行うことにより、合計１８０°旋回するようになっている。このとき、目標角度ωｒｅｆに到達する前（例えば目標角度ωｒｅｆの１０°前）より減速を開始し、Ｓ字減速とすることで、スムーズな停止制動を実現し、旋回方向センサー１１による旋回方向角度の測定を確実に行わせるように構成されている。旋回開始時の基準角度をΩとしているので、図１０に示すように走行動作開始時に角度ズレしていても終端付近の苗列Ｎの方向に対応して旋回し、図１１に示すように終端付近の苗列Ｎの方向が湾曲していてもそれに対応して旋回するようになっている。
【００３８】
以上のように構成された本例の走行車両１の走行制御装置５によれば、走行制御部１９は、前記走行動作中に、画像処理部１４により苗列Ｎの存在及び目標旋回方向が検出されたときは、該目標旋回方向に基づいて走行車両１の走行を制御し、苗列Ｎの存在及び目標旋回方向が検出されなかったときは、姿勢制御部１２からの姿勢制御信号に基づいて走行車両１の走行を制御するように構成されている。この構成によれば、苗列Ｎに欠株が存在していることにより画像処理部１４による画像処理の結果、苗列Ｎの存在及び目標旋回方向が検出されなかったときでも、姿勢制御部１２による姿勢制御信号に基づいて走行車両１の走行を制御するように構成されている。そのため、欠株があっても走行が停止せず、走行車両１の安定した自律走行が実現できる。
【００３９】
また、姿勢制御部１２は、一定距離間隔で現状角度ωｆを保存するとともに、該保存された過去の現状角度ωｆと最新の現状角度ωｆとの平均値を走行車両１の進行方向又は苗列Ｎの方向として採用する。この構成によれば、走行車両１の進行方向又は苗列Ｎの方向として、保存された過去の現状角度ωｆと最新の現状角度ωｆとの平均値Ωを採用することにより、現状角度ωｆの一時的なぶれの影響を低減することができ、走行車両１の安定した自律走行が実現できる。
【００４０】
また、走行制御部１９は、姿勢制御部１２で検出された現状角度ωｆの平均値Ωを旋回動作の開始時の基準角度として用いる。この構成によれば、苗列Ｎの終端部における湾曲に合わせて前記旋回動作を走行車両１に行わせることができる。
【００４１】
また、画像処理部１４は、苗列Ｎの存在位置と走行車両１の中央との左右方向における位置ズレ量が所定量以上の場合に目標旋回方向を検出するように構成されている。この構成によれば、シンプルな画像処理で走行車両１の走行制御を実現できる。
【００４２】
また、走行車両１の走行距離を測定する走行距離検出部１６を備え、走行制御部１９は、該走行距離に基づいて検出される苗列Ｎの先端及び終端付近において、走行車両１の走行速度を低減させるように構成されている。この構成によれば、走行速度を低減させることにより、苗列Ｎの先端又は終端付近において、画像処理部１４に確実に苗列Ｎを認識させることができ、安定した自律走行が実現できる。
【００４３】
また、走行車両１前方にある物体を検出する対物センサー１７を有し、該対物センサー１７により栽培エリアの終端を示す境界物Ｅを検出する終端検出部１８を備え、走行制御部１９は、該終端検出部１８により該終端を検出すると、走行車両１に前記旋回動作をさせるように構成されている。この構成によれば、前記終端の撮像画像に対する画像処理のみにより該終端を検出する場合よりも、確実に終端を検出することができる。そのように画像処理のみにより前記終端を検出しようとすると、畦畔の上の雑草等を苗と誤検出して終端検出を失敗することがあるからであり、また、それを防止するために、畦畔を管理したり、畔波シートなどにより畦畔を安定した形状に保ったりする必要があるからである。
【００４４】
さらに、走行制御部１９は、苗列Ｎの先端から終端付近に至るまでの所定距離を走行したことが走行距離検出部１６によって検知されるまでは、終端検出部１８からの終端検出情報を無効化するように構成されている。この構成によれば、苗列Ｎの終端付近以降のみ、終端検出部１８からの終端検出情報を利用することにより、それ以前における栽培エリアの終端の誤検出を排除することができる。
【００４５】
なお、本発明は前記実施形態に限定されるものではなく、例えば以下のように、発明の趣旨から逸脱しない範囲で適宜変更して具体化することもできる。
（１）走行車両１を、２以上の苗列Ｎを跨いで走行するように構成したり、条間を走行するように構成したりすること。
（２）走行車両１の走行手段としてのクローラ３を他の走行手段（例えば車輪）に変更すること。
（３）カメラ、旋回方向センサー１１、対物センサー１７、エンコーダー等の各センサーを、それぞれ実質的に同一機能を有する他の方式のセンサーに変更すること。
【符号の説明】
【００４６】
１    走行車両
２    機体フレーム
３    クローラ
４    駆動部
５    走行制御装置
６    電池
１１    旋回方向センサー
１２    姿勢制御部
１３    撮像部
１４    画像処理部
１５    エンコーダー
１６    走行距離検出部
１７    対物センサー
１８    終端検出部
１９    走行制御部
Ｃ      機体フレームの中心位置
Ｅ      境界物
Ｆ      矢印
Ｎ      苗列
Ｎｓ    苗列の先端
Ｎｅ    苗列の終端
Ｐ      苗列の存在位置Ｐ
ωｅ    角度差分
ωｆ    現状角度
ωｒｅｆ  目標角度
Ω      現状角度の平均値
【図１】
2020036569.tif 000003
【図２】
2020036569.tif 000004
【図３】
2020036569.tif 000005
【図４】
2020036569.tif 000006
【図５】
2020036569.tif 000007
【図６】
2020036569.tif 000008
【図７】
2020036569.tif 000009
【図８】
2020036569.tif 000010
【図９】
2020036569.tif 000011
【図１０】
2020036569.tif 000012
【図１１】
2020036569.tif 000013